(57)【要約】【課題】ＰＭ光ファイバの融着接続機で、ＰＭファイバをホルダに拘束して回転させ、偏波保持面の角度を調整する場合において、回転位置によっては、拘束及びこの拘束の解除をすることが困難であった。【解決手段】本発明の、光ファイバを載せるホルダと、光ファイバとホルダを拘束及びこの拘束を解除するクランプ装置と、ＰＭ光ファイバを融着接続する融着接続機と、を備えるＰＭ光ファイバ融着接続機によって、ＰＭファイバやホルダの任意の回転位置において、拘束及びこの拘束を解除することが可能である。【選択図】　図１
2004126379.tif 000002
【特許請求の範囲】
【請求項１】
ＰＭ（Ｐｏｌａｒｉｚａｔｉｏｎ　Ｍａｉｎｔａｉｎｉｎｇ：偏波保持）光ファイバを載せるホルダと、
前記ＰＭ光ファイバと前記ホルダを拘束及びこの拘束を解除するクランプ装置と、
前記ＰＭ光ファイバと前記ホルダを回転させる回転装置と、
前記ＰＭ光ファイバを融着接続する融着装置と、
を備え、
前記ＰＭ光ファイバの偏波保持面の角度を調整し、前記ＰＭ光ファイバと前記ホルダを拘束及びこの拘束を解除することができるＰＭ光ファイバ融着接続機。
【請求項２】
ＰＭ光ファイバを載せるホルダと、
前記ＰＭ光ファイバと前記ホルダを拘束及びこの拘束を解除するクランプ装置と、
前記ＰＭ光ファイバと前記ホルダを回転させる回転装置と、
前記ＰＭ光ファイバを融着接続する融着装置と、
前記ホルダと前記クランプ装置と前記融着装置を覆う風防と、
を備え、
前記風防を被せたままの状態で、前記ＰＭ光ファイバの偏波保持面の角度を調整し、前記ＰＭ光ファイバと前記ホルダを拘束及びこの拘束を解除することができるＰＭ光ファイバ融着接続機。
【請求項３】
前記クランプ装置が、前記ホルダの蓋の開閉によって拘束及びこの拘束の解除をする請求項１または２に記載のＰＭ光ファイバ融着接続機。
【請求項４】
前記クランプ装置が、押込み棒の往復運動によって、前記ホルダの蓋の開閉を行う請求項３に記載のＰＭ光ファイバ融着接続機。
【請求項５】
前記クランプ装置が、回転板と前記回転装置の回転速度差を用いて前記ホルダの蓋の開閉を行う請求項３に記載のＰＭ光ファイバ融着接続機。
【請求項６】
前記クランプ装置が、電磁石又は永久磁石の磁力によって前記ホルダの蓋の開閉を行う請求項３に記載のＰＭ光ファイバ融着接続機。
【請求項７】
前記ホルダの蓋が所定量だけ開き、解除時に、前記ＰＭ光ファイバが前記ホルダから飛び出すことを防ぐ請求項３から６の何れか１項に記載のＰＭ光ファイバ融着接続機。
【請求項８】
前記クランプ装置が、前記ＰＭ光ファイバと前記ホルダの間に摩擦力を発生させる摩擦付与部材を備え、前記摩擦付与部材を動かして、前記ＰＭ光ファイバの拘束及びこの拘束の解除を行う請求項１または２に記載のＰＭ光ファイバ融着接続機。
【請求項９】
ホルダにＰＭ光ファイバを載せる工程と、
前記ホルダと前記ＰＭ光ファイバをクランプ装置で拘束する工程と、
前記ホルダと前記ＰＭ光ファイバを回転装置で回転させる工程と、
前記ＰＭ光ファイバを融着装置で融着接続する工程と、
前記ホルダと前記ＰＭ光ファイバの拘束を解除する工程と、
を備え、
前記ＰＭ光ファイバの偏波保持面の角度を調整し、前記ホルダと前記ＰＭ光ファイバの拘束及びこの拘束の解除をすることができるＰＭ光ファイバの融着接続方法。
【発明の詳細な説明】
【０００１】
【発明の属する技術分野】
ＰＭ（Ｐｏｌａｒｉｚａｔｉｏｎ　Ｍａｉｎｔａｉｎｉｎｇ：偏波保持）光ファイバを融着によって接続する光ファイバの融着機に関する。
【従来の技術】
【０００２】
光ファイバを接続する方法としては、融着接続が永久接続法として、現在では最も信頼性が高く、広く適用されている。また、光ファイバを融着させるために光ファイバを加熱する必要があるが、電極からの放電を利用する方法が、最も一般的である。
【０００３】
この融着においては、接続損失を最小限に留めるため、接続する光ファイバどうしの光軸を合わせることが重要になる。従って、この光軸を合わせるために、従来から様々な方法が試みられている。
【０００４】
例えば、軸合わせのために、融着させる光ファイバを任意の位置に動かす必要があるので、移動装置によって光ファイバを拘束する必要がある。これを、ホルダで把持して行うことが特許第２０７８４９２号に開示されている。
また、光ファイバをホルダに挟持固定して、被覆の除去からファイバの切断までの前処理をすることも広く行われている。ファイバ先端の位置合わせが容易であることから、ホルダごと光ファイバをセットできるものも存在する。
【０００５】
更に、ＰＭ（偏波保持）ファイバにおいては、偏波保持面の角度を合わせる必要があるため、下記に示すような装置が特許第２６８６８１０号に開示されている。
【０００６】
Ｖ字型の溝の設けられたＶ溝台の溝に、ＰＭ光ファイバをセットし、上部から押さえ部材にてクランプする。その後、このＶ溝台を回転させて、ＰＭファイバの位置合わせを行う融着接続機である。また、上記のＶ溝台に操作軸の両端を、Ｖ溝台の両側に突き出すように設けて、この操作軸の両端に操作レバーを設け、更に、この操作軸にクランプ押し上げカムを設けたクランプ機構を備えた融着接続機も開示されている。
【０００７】
これらの融着接続機は、ＰＭ光ファイバを直接Ｖ溝台にセットする方法を採っているが、上述のホルダを組み合わせることも可能である。この場合、融着接続機にホルダを乗せるホルダ台を設けて、ホルダごと取り付けられることが考えられる。
この操作軸や操作レバーからなるクランプ機構を、そのまま融着接続機に残すことも可能であるし、ホルダ側に設置することも可能である。ホルダにＰＭ光ファイバを載せる場合には、ホルダにＶ字型の溝の設け、ホルダの蓋によってＰＭ光ファイバを押さえてクランプする方法も考えられる。
【０００８】
【特許文献１】
特許第２０７８４９２号
【特許文献２】
特許第２６８６８１０号
【０００９】
【発明が解決しようとする課題】
上述の、回転機構、クランプ機構とホルダを組み合わせた融着接続機は、操作性も良好であるが、下記のような問題を有している。
操作軸や操作レバーからなるクランプ機構が融着接続機側に設置されている場合には、ホルダが回転した位置によっては、操作レバーがホルダの陰になって動かすことができず、ＰＭファイバの拘束を開放できない場合がある。
【００１０】
また、操作軸や操作レバーからなるクランプ機構をホルダ上に設ける場合には、被覆の除去やファイバの切断等の前処理中に、不用意に操作レバーを動かして、ＰＭ光ファイバのクランプをはずしてしまう恐れがある。
【００１１】
融着接続機自体についても、ホルダの回転や、レバー操作で周囲の機器と干渉しないようにするために、このホルダ回転機構は周囲と十分離隔をとる必要があり、装置が大きくなる不都合が発生する。
【００１２】
また、融着時には、作業者の安全と放電や加熱範囲の安全のために、風防で周囲を覆う。もし、ＰＭ光ファイバのクランプを解除する必要がある場合には、風防を開けてレバー操作を行い、回転機構をリセットするためには、安全のために再び風防を閉じてから、作業を行う必要がある。従って、作業が非常に煩雑になる。
【００１３】
従って、この発明の目的は、従来の問題点を解決して、ＰＭ光ファイバのクランプをはずして、回転機構のリセット等の作業が行えるコンパクトな融着接続機を提供するものである。
【００１４】
【課題を解決する手段】
本発明者は、上述した従来の問題点を解決すべく、鋭意研究を重ねた。その結果、ホルダ、クランプ装置、回転装置、融着装置を有する融着接続機であって、ＰＭ光ファイバの拘束（クランプ）をはずして、回転機構のリセットが行え、誤動作等も起こさず、光ファイバがホルダから飛び出して周囲機器や光ファイバ自身を傷つける恐れもない、コンパクトな融着接続機を知見した。
【００１５】
上記を実現するためには、拘束をはずせる機構と、拘束をはずしても、ＰＭ光ファイバがホルダから飛び出さないようにする機構が必要である。
【００１６】
これを実現する機構のひとつとしては、ＰＭ光ファイバの拘束及びこの拘束の解除を、ホルダの蓋の開閉によって行うことが考えられる。このホルダの蓋を開閉する機構としては、押込み棒の往復運動によるものや、回転板と回転装置の回転速度差を利用したもの、磁力を利用意したもの等が考えられる。
ＰＭ光ファイバが、解除時においても、ホルダから飛び出さないようにするための機構としては、ホルダの蓋が所定量以上開かないようにすることが考えられる。
【００１７】
また、ホルダに摩擦力を付与する摩擦付与部材を動かして、ＰＭ光ファイバと接触させたり離したりすることで、ＰＭ光ファイバの拘束及びこの拘束の解除を行う機構も考えられる。この場合は、ホルダの蓋は閉じられたままなので、ＰＭ光ファイバがホルダから外へ飛び出す心配は無い。
【００１８】
更に、ＰＭ光ファイバがホルダから飛び出さない位置まで回転を戻した後に、ＰＭ光ファイバの拘束を解く方法も考えられる。
【００１９】
本発明のＰＭ光ファイバ融着接続機の第１の態様は、ＰＭ（Ｐｏｌａｒｉｚａｔｉｏｎ　Ｍａｉｎｔａｉｎｉｎｇ：偏波保持）光ファイバを載せるホルダと、
前記ＰＭ光ファイバと前記ホルダを拘束及びこの拘束を解除するクランプ装置と、前記ＰＭ光ファイバと前記ホルダを回転させる回転装置と、
前記ＰＭ光ファイバを融着接続する融着装置と、
を備え、
前記ＰＭ光ファイバの偏波保持面の角度を調整し、前記ＰＭ光ファイバと前記ホルダを拘束及びこの拘束を解除することができるＰＭ光ファイバ融着接続機である。
【００２０】
本発明のＰＭ光ファイバ融着接続機の第２の態様は、ＰＭ光ファイバを載せるホルダと、
前記ＰＭ光ファイバと前記ホルダを拘束及びこの拘束を解除するクランプ装置と、前記ＰＭ光ファイバと前記ホルダを回転させる回転装置と、
前記ＰＭ光ファイバを融着接続する融着装置と、
前記ホルダと前記クランプ装置と前記融着装置を覆う風防と、
を備え、
前記風防を被せたままの状態で、前記ＰＭ光ファイバの偏波保持面の角度を調整し、前記ＰＭ光ファイバと前記ホルダを拘束及びこの拘束を解除することができるＰＭ光ファイバ融着接続機である。
【００２１】
本発明のＰＭ光ファイバ融着接続機の第３の態様は、前記クランプ装置が、前記ホルダの蓋の開閉によって拘束及びこの拘束の解除をするＰＭ光ファイバ融着接続機。
【００２２】
本発明のＰＭ光ファイバ融着接続機の第４の態様は、前記クランプ装置が、押込み棒の往復運動によって、前記ホルダの蓋の開閉を行うＰＭ光ファイバ融着接続機である。
【００２３】
本発明のＰＭ光ファイバ融着接続機の第５の態様は、前記クランプ装置が、回転板と前記回転装置の回転速度差を用いて前記ホルダの蓋の開閉を行うＰＭ光ファイバ融着接続機である。
【００２４】
本発明のＰＭ光ファイバ融着接続機の第６の態様は、前記クランプ装置が、電磁石又は永久磁石の磁力によって前記ホルダの蓋の開閉を行うＰＭ光ファイバ融着接続機である。
【００２５】
本発明のＰＭ光ファイバ融着接続機の第７の態様は、前記ホルダの蓋が所定量だけ開き、解除時に、前記ＰＭ光ファイバが前記ホルダから飛び出すことを防ぐＰＭ光ファイバ融着接続機である。
【００２６】
本発明のＰＭ光ファイバ融着接続機の第８の態様は、前記クランプ装置が、前記ＰＭ光ファイバと前記ホルダの間に摩擦力を発生させる摩擦付与部材を備え、前記摩擦付与部材を動かして、前記ＰＭ光ファイバの拘束及びこの拘束の解除を行うＰＭ光ファイバ融着接続機である。
【００２７】
本発明のＰＭ光ファイバの融着接続方法の第１の態様は、　ホルダにＰＭ光ファイバを載せる工程と、
前記ホルダと前記ＰＭ光ファイバをクランプ装置で拘束する工程と、
前記ホルダと前記ＰＭ光ファイバを回転装置で回転させる工程と、
前記ＰＭ光ファイバを融着装置で融着接続する工程と、
前記ホルダと前記ＰＭ光ファイバの拘束を解除する工程と、
を備え、
前記ＰＭ光ファイバの偏波保持面の角度を調整し、前記ホルダと前記ＰＭ光ファイバの拘束及びこの拘束の解除をすることができるＰＭ光ファイバの融着接続方法である。
【００２８】
【発明の実施の形態】
本発明の実施の形態を、図面を参照しながら下記に詳細を説明する。
（実施形態１）
図１に示すＰＭ光ファイバ融着接続機の概要図と、図２（ａ）に示すホルダの概要図を用いて、実施形態１を説明する。実施形態１では、本発明の風防を被せたまま光ファイバの拘束及び解除を行うことが可能なＰＭ光ファイバ融着接続機の基本的な態様を示す。
【００２９】
図１において、ＰＭ光ファイバを拘束、開放するホルダ２は、ホルダ台６の上に設置される。ホルダ台６は、回転モータ１３の回転軸に接合されており回転し、ホルダ２も共に回転する。
この回転装置により、ホルダ２に拘束されたＰＭ光ファイバを回転させ、任意の偏波保持面の角度を調整することができる。
【００３０】
ホルダ２の構造を、図２（ａ）に示す。ホルダの蓋１はホルダ２にヒンジ機構を介して接続されており、このヒンジを回転中心として、ホルダの蓋１の開閉が可能になっている。
また、ホルダ２の上面には、ＰＭ光ファイバをセットするためのＶ字型の溝４が設けられている。ホルダ蓋１を閉じることによって、ホルダの蓋１の下面と溝４の間で光ファイバを拘束する。また、ホルダの蓋１を開くことによって、その拘束を解くことができる。
更に、溝４の部分に、光ファイバを保持するための摩擦力を確保するため、摩擦付与部材３を備えることもできる。
【００３１】
次に、風防に覆われたままの状態で、このホルダ蓋１を開閉を可能にし、光ファイバの拘束、解除を行うクランプ装置の説明を行う。
ホルダ台６上には押込み棒１２が設置されており、押込み棒１２は、ホルダ台６上を光ファイバの長手方向に往復運動する。
【００３２】
ホルダ２をホルダ台６にセットするときには、押込み棒１２は、通常は戻しバネ１５によって待機位置に保持されており、ホルダ２に触れないようになっている。
そして、後述する中継棒８によって、押込み棒１２が押し込み方向へ押されると、押し込み棒１２の先端がホルダの蓋１の下へ入り、ホルダの蓋１を押し上げて開くことができる。この押込み棒１２の先端は、スムーズにホルダ蓋１を押し上げられるように、楔型にしておくことが望ましい。このホルダ蓋１の開放によって、ＰＭ光ファイバの拘束を解くことができる。
ここで、ファイバホルダ２は長穴があいており、押し込み棒１２の端がファイバホルダ２の上面に飛び出た位置にあるため、ホルダの蓋１を押し上げることができる。
【００３３】
押込み棒１２が待機位置にいる場合には、ホルダの蓋１は、ホルダ２に備えられた磁石５の磁力によって、閉じられた状態、つまり、ＰＭ光ファイバを拘束した状態に保つ。
また、押込み棒１２で押し上げられた場合でも、この磁力によって、押込み棒１２による押し上げ量以上は開かないようになっている。
【００３４】
上述の中継棒８は、ＰＭ光ファイバ融着接続機本体に設置されており、やはり本体側に設置されたアクチュエータ１４に接続されている。ホルダ台６とは異なり、回転はしない。従って、ホルダ台６が回転の初期位置にあるときにのみ、中継棒８はアクチュエータ１４の力によって、押し込み棒１２を押し込み、ホルダ蓋１を開けることができる。
【００３５】
（実施形態２）
次に実施形態２を説明する。実施形態１では、押込み棒１２は回転の初期位置にあるときのみに、押込み側へ押されホルダ蓋１を開けることができたが、実施形態２においては、任意の回転位置においてホルダの蓋１を開けることができる。
【００３６】
押込み棒１２のホルダの蓋１に接する側は傾斜して楔の形状を有し、その反対側の操作側には鍔を設けることで、ホルダ台６の回転位置にかかわらず押込み棒１２を操作することが可能である。この鍔は、風防を閉じていても操作が可能な位置に設置されている。この押込み棒１２を動かすためには、手動でも動力を用いても構わない。
押込み棒１２は、この手動または動力によって、ファイバホルダ２の側面に沿って、ファイバの方向に往復運動を行い、ホルダの蓋１の開閉を行う。
【００３７】
本実施例の場合、ホルダの蓋１は開放する側（つまりヒンジの反対側）の端が、ファイバホルダ２の反対よりも若干突き出ており、この突き出た部分の下に押込み棒１２が入り込んで、ホルダ蓋１の開けることになる。
【００３８】
従って、押込み棒１２の作用点はホルダの蓋１の突き出た部分であるが、反作用点は、ホルダ２自体が浮き上がらないようにするためには、ホルダ２上に取ることが望ましい。図２（ｂ）に示すように、ホルダ２の本体のホルダ台６に載る側も若干突き出させて、この部分を押込み棒１２との摺動面として使用できるようにすることが望ましい。ただし、ホルダ２とホルダ台６を、ホルダ２の浮き上がりが問題とならない程度の十分な力で固定できれば、ホルダ台６上に半作用点を取っても問題はない。
【００３９】
また、押込み棒１２がホルダの蓋１と接触しない待機位置にある場合には、実施形態１と同様に、磁石５の磁力によって、ホルダの蓋１は閉じられた状態に保たれる。
また、押込み棒１２で押し上げられた場合でも上述の磁力によって、押込み棒１２による押し上げ量以上は開かないようになっている。
【００４０】
以上のように、この実施形態２においては、ホルダ台６の回転位置にかかわらず、風防を閉じたままの状態で、押込み棒１２の操作側に設けられた鍔を、手動又は動力によって動かすことによって、ホルダ蓋１の開閉を行うことができる。
【００４１】
（実施形態３）
次に、図３に実施形態３を示す。実施形態３は、回転板と回転装置の回転速度の差を利用してホルダの蓋１を開閉させるクランプ装置である。
【００４２】
ホルダ２には、ヒンジ機構を介してホルダの蓋１が取り付けられており、開閉するようになっている。また、ホルダ２の上面には、Ｖ字型の溝が設けられており、ホルダの蓋１を開閉することによって、ＰＭ光ファイバを拘束、解除することができる。また、ホルダ２には磁石が備えられていて、通常は、ホルダ蓋１は閉じられている。
【００４３】
このホルダ２は、ホルダ台６の上に設置され、このホルダ台６は、ファイバホルダ２と共に、回転モータ１３を動力とする回転装置によって回転される。
【００４４】
ホルダの蓋１とホルダ２との間に、開放爪１１が設けられる。通常、開放爪１１は、戻しバネ１５によって、ホルダ蓋１とは接触しない位置に保持されている。この場合、ホルダの蓋１は閉じられている。
一方、回転板１０上に備えられた押込み棒１２によって、開放爪１１が押されたときには、開放爪１１は、ホルダ蓋１とファイバホルダ２の間に押し込まれるように動き、ホルダの蓋１は開く。
【００４５】
この回転板１０は、クラッチを介して開放モータ１４によって回転する。この開放モータ１４による回転板１０の回転速度は、回転装置（回転モータ１３）によるホルダ台６の回転速度よりも若干速い。
クラッチが切れているときには、回転板戻しバネ１６によって、押込み棒１２が開放爪１１とは接触しない位置に保持されたまま、回転板１０は、ホルダ台６と一体となって回転する。従って、ホルダの蓋１は閉じたままの状態に保持される。
【００４６】
ここでクラッチが入ると、回転板１０は、ホルダ台６よりも速く回転するため、回転板１０上に備えられた押込み棒１２によって、開放爪１１は、ホルダの蓋１とファイバホルダ２の間に押し込まれるように動き、ホルダの蓋１は開く。
【００４７】
ホルダの蓋１の開く量は、開放爪１１によって持ち上げられる量に限られ、ホルダ２に設置された磁石によって引き付けられるため、それ以上開くことはなく位置を保持される。
【００４８】
再びクラッチを切れば、開放爪１１は、戻しバネ１５によって、ホルダの蓋１とは接触しない位置に戻される。ホルダ蓋１は、上記の磁力によって引き付けられ、再び閉じられる。
【００４９】
以上によって、回転装置（回転モータ１３）、開放モータ１４とクラッチの動作によって、風防を閉じたまま、光ファイバを拘束、解除させたり、ＰＭ光ファイバを回転させることができる。
【００５０】
（実施形態４）
実施形態３では、クラッチによって開放モータ１４の動力の断続を行っているが、このクラッチを使用せずに、開放モータ１４の回転速度を変えることでも実現可能である。これを、実施形態４とする。
【００５１】
開放モータ１４の回転速度を、２種類の回転速度を有するようにして、回転板１０とホルダ台６が同期して回転する状態と、回転板１０の方が、ホルダ台６よりも速く回転する状態を作る。
【００５２】
開放モータ１４と回転モータ１３の回転速度が、回転板１０とホルダ台６が、同期して回転するような回転速度のときには、開放爪１１は動かず、ホルダ蓋１は閉じたままである。
また、開放モータ１４の回転速度を速めて、回転板１０がホルダ台６よりも速く回るようにすれば、開放爪１１はホルダ蓋１とファイバホルダ２の間に押し込まれるように動き、ホルダ蓋１は開く。
以上によって、実施形態４では、実施形態３と同様の働きを果すことができる。其の他の機構は、実施形態３と同様である。
【００５３】
（実施形態５）
図４に実施形態５を示す。ホルダの蓋１は、先端（１ａ）と中央又は後端（１ｂ）との２箇所あり、各々のホルダ蓋は、共通の軸でつながれて、連動して開閉する。
先端のホルダ蓋１ａは風防の中にあるが、他のホルダ蓋１ｂは、風防の外に位置するように設置される。
【００５４】
ホルダ台の回転等の諸機構は、風防内及び融着機内に収められており、融着機上の表面は平坦である。従って、ホルダ蓋１ａの開閉に干渉するものは無く、任意の回転位置にホルダ台があっても、風防を閉じたままホルダ蓋１ｂを開閉することによって、軸でつながったホルダ蓋１ａを開閉することができる。
【００５５】
（実施形態６）
次に図５に実施形態６を示す。ホルダの蓋１のＰＭ光ファイバをはさむ側の面が、片側の極を有する永久磁石になっている。ホルダ２は、磁性体１８を備え、この磁性体１８は、ホルダの蓋１と接する上面から、ホルダ台６に接する下面にまで貫通している。また、この磁性体１８から所定の距離を隔てた上方位置に永久磁石１７を備える。更にホルダ２を載せるホルダ台６の上部（ホルダ２に接する側）に電磁石１９を備える。
【００５６】
仮にホルダの蓋１の永久磁石の極をＮ極とする。ここで、電磁石１９のホルダ２に接する側の極をＳ極とすると、磁性体１８のホルダ台６と接する側はＮ極となり、反対側の磁性体１８のホルダの蓋１と接する側の極はＳ極となる。従って、ホルダの蓋１は、ホルダ２に引き付けられて、閉じた状態になる。よって、ＰＭ光ファイバは、拘束された状態となる。
【００５７】
一方、電磁石１９の極性を逆にすると、磁性体１８の極性も逆になり、ホルダの蓋１の永久磁石と磁性体１８は反発して、ホルダの蓋１は開いた状態になる。しかし、ホルダの蓋１は、所定の離れた位置にある永久磁石１７に引き付けられるため、所定量以上には開かずにその位置に保持される。従って、ＰＭ光ファイバは、開放されてもホルダから飛び出すことはない。
【００５８】
（実施形態７）
次に、図６に実施形態７を示す。実施形態７では、ホルダ蓋の開閉ではなく、摩擦付与部を動かすことによって、ＰＭ光ファイバの拘束、解除を行う。
この摩擦付与部３は板バネ状になっており、一端がホルダ２に接続され、もう一端は自由端になっている。また、ＰＭ光ファイバと接する側に、摩擦力を増すためのゴム２０を張ることも可能である。
【００５９】
ホルダ台２に、先端が楔状になった押込み棒１２を備え、この押込み棒１２は、往復運動ができるようになっている。また、この押込み棒１２は、板バネ状の摩擦付与部３とホルダ２の間に入るようになっている。
【００６０】
押込み棒１２が、摩擦付与部３と接しない位置にいる時には、摩擦付与部３のバネ力によって、ＰＭ光ファイバを拘束するように働く（図６ａ参照）。また、押込み棒１２が、板バネ状の摩擦付与部３とホルダ２の間に入ると、摩擦付与部３は押し下げられて、ＰＭ光ファイバの拘束を解除する（（図６ｂ参照）。
【００６１】
この押込み棒１２の、摩擦付与部３と接する側の反対側の端に、実施例２のように鍔を設ければ、風防を閉じたまま、光ファイバの拘束、解除することが可能である。また、この摩擦付与部の往復運動は、手動で行うことも動力によって行うことも可能である。
【００６２】
また、ホルダ蓋を閉めたまま、ＰＭ光ファイバを拘束、解除することができるので、開放時にＰＭ光ファイバが、ホルダの外へ飛び出す恐れもない。
【００６３】
（実施形態８）
摩擦付与部の動きによるＰＭ光ファイバの拘束、解除を行う機構として、更に、下記のような実施形態８も考えられる。
【００６４】
摩擦付与部は柱状の弾性体で、常時は、圧縮手段によって圧縮されている。この圧縮によって、摩擦付与部は、ホルダ台の開口部からファイバホルダ内部へ飛び出している。圧縮手段としては、圧縮棒による方法や、ネジ込みによる方法等、様々な方法が考えられる。
【００６５】
従って、ホルダ蓋を閉めると、ＰＭ光ファイバは、ホルダ蓋とファイバホルダ内部へ飛び出した摩擦付与部に挟まれて拘束される。
一方、この摩擦付与部への圧縮を解くと、摩擦付与部は、ファイバホルダ内部への張り出しがなくなり、ＰＭ光ファイバの拘束を解くこととなる。
【００６６】
また、ホルダ蓋を閉めたまま、ＰＭ光ファイバを拘束、開放することができるので、開放時にＰＭ光ファイバが、ホルダの外へ飛び出す恐れもない。
【００６７】
本実施態様では、主にＰＭ光ファイバの融着に関して記載したが、本発明のＰＭ光ファイバ融着接続機は、ＰＭ光ファイバだけでなくあらゆる種類の光ファイバに関して適用が可能である。
【００６８】
本実施形態においては、主に風防を閉じた状態について説明したが、本発明はこれに限定されることなく、例えば、融着途中で風防を開けた状態であっても、稼動部や放電部に手を近づけることなく光ファイバを取り出せる状態にリセットすることができる。また、本発明は、上述した各実施例に限定されることなく、更に様々な実施態様が考えられる。
【００６９】
【発明の効果】
本発明によって、以下の効果を得ることができる。
【００７０】
本発明のＰＭ光ファイバとホルダを拘束及びこの拘束を解除することができるＰＭ光ファイバ融着接続機によって、融着途中であっても、稼動部や放電部に手を近づけることなく光ファイバを取り出せる状態にリセットすることができる。更に、本発明のＰＭ光ファイバ融着接続機によって、風防を閉じたままＰＭ光ファイバの拘束を解いて、ホルダの回転位置をリセットすることができる。従って、作業の安全性が高まり、ＰＭ光ファイバ融着接続機の内部を不用意に触って調整を狂わせる恐れや、光学系を汚す恐れがない。
【００７１】
更に、本発明のＰＭ光ファイバ融着接続機では、ＰＭ光ファイバとホルダを拘束及びこの拘束を解除するレバー操作が不要なので、回転時におけるレバーの干渉を避けたり、操作スペースを確保するための余分なスペースが不要である。従って、非常にコンパクトなＰＭ光ファイバ融着接続機を供給することができる。
【図面の簡単な説明】
【図１】実施形態１に記載された、押出し棒を利用したクランプ装置を備えるＰＭ光ファイバ融着接続機の構造を示す概要図。
【図２】（ａ）実施形態１に記載されたホルダの構造を示す概要図。
（ｂ）実施形態２に記載されたホルダの構造を示す概要図。
【図３】実施形態３に記載された、回転板と回転装置の回転速度の差を利用してホルダの蓋を開閉させるクランプ装置の構造を示す概要図。
【図４】実施形態５に記載された、共通の軸につながれたホルダ蓋を備えるホルダの構造を示す概要図。
【図５】実施形態６に記載された、磁力を用いたクランプ装置の構造を示す概要図。
【図６】実施形態７に記載された、摩擦付与部を動かすことを用いたクランプ装置の構造を示す概要図。
【００００】
【符号の説明】
１　　ホルダの蓋
２　　ホルダ
３　　摩擦付与部材
４　　溝
５　　磁石
６　　ホルダ台
７　　ホルダ全体
８　　中継棒
９　　ＰＭ光ファイバ
１０　回転板
１１　開放爪
１２　押込み棒
１３　回転モータ
１４　開放モータ
１５　戻しバネ
１６　回転板戻しバネ
１７　永久磁石
１８　磁性体
１９　電磁石
２０　ゴム
【図１】
2004126379.tif 000003
【図２】
2004126379.tif 000004
【図３】
2004126379.tif 000005
【図４】
2004126379.tif 000006
【図５】
2004126379.tif 000007
【図６】
2004126379.tif 000008